(57)【特許請求の範囲】
【請求項１】
防災テーブルであって、
脚枠構体および天板よりなるテーブル本体と、
平素は着床しないよう前記テーブル本体に可動式に設ける底板であって、地震のとき前記天板の下に退避した人の体全体の荷重が加わるとき床に着床するとともに、前記脚枠構体を床に押し付けるよう構成した該底板と、
平素は人の着席に支障がない非着床状態に前記底板を釈放可能に保持する底板着床抑止手段と
を備えた、該防災テーブルにおいて、
前記底板を、前記脚枠構体における左右の着床ステーに対してヒンジにより回動自在に連結し、また、前記左右の着床ステーの上側端縁に係合可能な側方端縁部分を設け、
前記脚枠構体は、天板に固定した左右１対の天板側脚部分と、着床ステーに固定した左右１対の着床ステー側脚部分とを、互いに抜き差し嵌合する構成とし、
前記脚枠構体には、さらに、
互いに嵌合する前記天板側および着床ステー側の脚部分相互間に配置し、各脚部分を互いに引き離す方向に押圧する伸展力を発揮するばね手段と、
互いに嵌合する脚部分の抜けを阻止するとともに、前記ばね手段による伸展力によって伸展した伸展状態と、前記ばね手段による伸展力に抗して各脚部分相互が接近した収縮状態との間での制限移動を可能にする止め手段と、
平素は、前記脚部分相互の収縮状態に保持する収縮状態係止手段と、
地震発生時に、底板着床抑止手段の抑止を解除して着席に支障がない非着床起立状態から着床ステーの上側端縁に係合するよう回転する際に、前記側方端縁部分の一部が作用して前記収縮状態係止手段による係止を解除する収縮係止解除手段と、
を設けた
ことを特徴とする防災テーブル。
【請求項２】
請求項１記載の防災テーブルにおいて、前記底板は、脚枠構体における左右の着床ステーの高さに相当する高さ、および左右着床ステー間の内法幅より僅かに小さい内法幅を有するボックス状部を有する構成とし、このボックス状部の底面は、摩擦係数の高い滑り止め部材を有する構成とした、防災テーブル。
【請求項３】
請求項１または２記載の防災テーブルにおいて、
前記着床ステー側脚部分を、前記天板側脚部分の内側に挿入して互いに抜き差し嵌合する構成とし、
収縮状態係止手段は、前記着床ステー側の後方脚部分から前方脚部分に向かって後退可能にばね負荷で突出する係止面およびカム斜面付きラッチ部と、前記天板側脚部分に設けて前記ラッチ部が突入できる溝孔により構成し、
前記収縮係止解除手段は、前記ラッチ部に連結し、前記着床ステー側の後方脚部分から前方脚部分に向かって、前記ラッチ部と一緒に後退可能にばね負荷で突出する作用突部であって、前記底板における両側の側方端縁部分のヒンジ連結側とは反対側の端部に設けた傾斜カム面が係合することによって後退可能にした、該作用突部によって構成した、防災テーブル。
【請求項４】
請求項１〜３のうちいずれか一項に記載の防災テーブルにおいて、前記止め手段は、前記天板側脚部分に設けた長手方向溝孔と、前記着床ステー側脚部分に連結し、前記長手方向溝孔に係合するピンまたはフックにより構成した、防災テーブル。
【請求項５】
請求項１〜４のうちいずれか一項に記載の防災テーブルにおいて、前記底板着床抑止手段は、着床ステーに連結したクロスステーに対してヒンジによって回動可能に連結した前記底板を起立させたとき、前記クロスステーと前記底板との間の隙間に挿入する楔部を有する閂手段により構成した、防災テーブル。
【請求項６】
請求項１〜４のうちいずれか一項に記載の防災テーブルにおいて、前記底板着床抑止手段は、前記天板側脚部分に取り付けた左右１対のサイドステーによって構成し、前記底板を起立させた状態で前記天板側脚部分を押し下げ、収縮状態係止手段により前記天板側脚部分を平素の収縮状態に係止するとき、前記サイドステーが前記底板の側方端縁部分におけるヒンジ側とは反対側の端部に釈放可能に係合する死点越え止め手段を前記サイドステーに設けた、防災テーブル。
【請求項７】
請求項１〜６のうちいずれか一項に記載の防災テーブルにおいて、前記ばね手段を、圧縮コイルばね手段により構成した、防災テーブル。
【請求項８】
請求項１〜６のうちいずれか一項に記載の防災テーブルにおいて、前記ばね手段を、ガスばね手段により構成した、防災テーブル。
【発明の詳細な説明】
【技術分野】
【０００１】
本発明は、幼稚園または学校で使用される教室机、とくに地震のとき机の下に退避した児童または生徒を防護することができる教室机、または一般家庭、事務所等でも利用可能な防災テーブルに関する。
【背景技術】
【０００２】
近年の教室机では、体をぶつけたとき、机が動くことにより児童または生徒の体にけががないように、また掃除等で容易に移動できるようにという配慮からもともと軽量化設計がなされている。
【０００３】
一方、近年、幼稚園、学校での防災訓練においては、緊急地震速報で初期振動（Ｐ波）感知警報が発せられた場合、机の下に退避するようにとの指導がなされている。
しかし、このような地震が発生した場合、机の下に退避したとしても、机が軽量化されているため、机そのものが暴走したり、転倒したりしてしまい、落下物等から机によって児童または生徒を守るという初期の目的が果たせない可能性がある。
【０００４】
このため、本願人は、このような地震の際に退避防護可能な教室机として、脚枠構体および天板よりなる机本体と、平素は着床しないよう前記机本体に可動式に設ける底板であって、底面に摩擦係数の高い滑り止め部材を有し、地震のとき机の下に退避した人の体全体の荷重が加わるときフロアに着床するとともに、前記脚枠構体を床面に押し付けるよう構成した該底板と、平素は人の着席に支障がない非着床状態に前記底板を保持する底板着床抑止手段とを備えた教室机を提案した。（特許文献１参照。）
【先行技術文献】
【特許文献】
【０００５】
【特許文献１】特開２００９‐２１３６５２号公報
【発明の開示】
【発明が解決しようとする課題】
【０００６】
しかし、この本願人による特許文献１に記載の先願発明における教室机の場合、底板の厚みがあるため机下の空間が狭なり、地震の際に机の下に入り込む際に窮屈になる。
【０００７】
したがって、本発明の目的は、大きな地震でも、力を加える必要なく、机の転倒および移動を生ずることなく、机の下に退避した生徒を確実に防護することができるとともに、机の下に入り込む際に楽に入り込めるようにする、教室机を含めた防災テーブルを得るにある。
【課題を解決するための手段】
【０００８】
この目的を達成するため、本発明は、脚枠構体および天板よりなるテーブル本体と、
平素は着床しないよう前記テーブル本体に可動式に設ける底板であって、地震のとき前記天板の下に退避した人の体全体の荷重が加わるとき床に着床するとともに、前記脚枠構体を床に押し付けるよう構成した該底板と、
平素は人の着席に支障がない非着床状態に前記底板を釈放可能に保持する底板着床抑止手段と
を備えた、防災テーブルにおいて、
前記底板を、前記脚枠構体における左右の着床ステーに対してヒンジにより回動自在に連結し、また、前記左右の着床ステーの上側端縁に係合可能な側方端縁部分を設け、
前記脚枠構体は、天板に固定した左右１対の天板側脚部分と、着床ステーに固定した左右１対の着床ステー側脚部分とを、互いに抜き差し嵌合する構成とし、
前記脚枠構体には、さらに、
互いに嵌合する前記天板側および着床ステー側の脚部分相互間に配置し、各脚部分を互いに引き離す方向に押圧する伸展力を発揮するばね手段と、
互いに嵌合する脚部分の抜けを阻止するとともに、前記ばね手段による伸展力によって伸展した伸展状態と、前記ばね手段による伸展力に抗して各脚部分相互が接近した収縮状態との間での制限移動を可能にする止め手段と、
平素は、前記脚部分相互を収縮状態に保持する収縮状態係止手段と、
地震発生時に、底板着床抑止手段の抑止を解除して着席に支障がない非着床起立状態から着床ステーの上側端縁に係合するよう回転する際に、前記側方端縁部分の一部が作用して前記収縮状態係止手段による係止を解除する収縮係止解除手段と、
を設けた
ことを特徴とする。
【発明の効果】
【０００９】
本発明防災テーブルによれば、緊急地震速報で初期振動（Ｐ波）感知警報が発せられた場合、底板着床抑止手段の抑止を釈放して、底板を手前に倒して底板の側方端縁部分を着床ステーの上側端縁に係合させるとき、側方端縁部分の一部が収縮係止解除手段に作用して収縮状態係止手段による収縮状態係止を解除することにより、天板側脚部分を着床ステー側脚部分から離れる方向に伸展させることができる。
このようにして、広くなった天板下側の空間に、児童または生徒または一般人は、ボックス状底板上に座り込むことにより、児童または生徒または一般人の全体重が着床ステーを介して脚枠構体を床に押し付け、これにより、防災テーブルは床にしっかりと保持され、児童または生徒または一般人を確実に落下物から防護することができる。
【００１０】
本発明の好適な実施形態においては、前記底板は、脚枠構体２における左右の着床ステーの高さに相当する高さ、および左右着床ステー間の内法幅より僅かに小さい内法幅を有するボックス状部を有する構成とし、このボックス状部の底面は、摩擦係数の高い滑り止め部材を有する構成とする。この構成によれば、防災テーブルは床に一層しっかりと保持し、児童または生徒または一般人を確実に落下物から防護することができる。
【００１１】
さらに、本発明の好適な実施形態においては、着床ステー側脚部分を、天板側脚部分の内側に挿入して互いに抜き差し嵌合する構成とし、収縮状態係止手段は、着床ステー側の後方脚部分から前方脚部分に向かって後退可能にばね負荷で突出する係止面およびカム斜面付きラッチ部と、天板側脚部分に設けてラッチ部が突入できる溝孔により構成し、収縮係止解除手段は、ラッチ部に連結し、着床ステー側の後方脚部分から前方脚部分に向かって、ラッチ部と一緒に後退可能にばね負荷で突出する作用突部であって、底板における両側の側方端縁部分のヒンジ連結側とは反対側の端部に設けた傾斜カム面が係合することによって後退可能にした、該作用突部によって構成する。この構成によれば、防災テーブルを構成簡単かつ安価に製造できるという効果が得られる。
【００１２】
本発明の好適な実施形態においては、止め手段を、天板側脚部分に設けた長手方向溝孔と、着床ステー側脚部分に連結し、長手方向溝孔に係合するピンまたはフックにより構成する。この構成によれば、止め手段が構成簡単かつ安価に製造できる。
【００１３】
本発明の好適な実施形態においては、底板着床抑止手段を、着床ステーに連結したクロスステーに対してヒンジによって回動可能に連結した底板を起立させたとき、クロスステーと底板との間の隙間に挿入する楔部を有する閂手段により構成する。この構成によれば、底板着床抑止手段が構成簡単かつ安価に製造できる。
【００１４】
本発明の好適な実施形態においては、底板着床抑止手段を、天板側脚部分に取り付けた左右１対のサイドステーによって構成し、底板を起立させた状態で天板側脚部分を押し下げ、収縮状態係止手段により天板側脚部分を平素の収縮状態に係止するとき、サイドステーが底板の側方端縁部分におけるヒンジ側とは反対側の端部に釈放可能に係合する死点越え止め手段を前記サイドステーに設ける。この構成によれば、天板を非着床起立状態に確実に保持できる。
【００１５】
本発明の好適な実施形態においては、ばね手段を圧縮コイルばね手段により構成する。この構成によれば、ガスばね手段を使用するよりも防災テーブルを構成簡単かつ安価に製造できる。
【００１６】
次に、図面につき本発明の好適な実施例を説明する。
【図面の簡単な説明】
【００１７】
【図１】本発明による好適な実施形態における防災テーブルの、底板が平素の非着床起立状態にある、右側方から見た斜視図である。
【図２】図１に示す防災テーブルの、後方（椅子を配置する側）から見た斜視図である。
【図３】図１に示す防災テーブルの、前方（椅子を配置する側とは反対側）から見た斜視図である。
【図４】図１に示す防災テーブルの、地震発生時に底板を着床ステーに向けて倒して底板の側方端縁部分の端部が収縮係止解除手段に作用し、収縮状態係止手段による係止を解除して、天板側脚部分が着床ステー側脚部分から離れる方向に伸展した状態を示す、右側方から見た斜視図である。
【図５】図４に示す防災テーブル１の、後方から見た斜視図である。
【図６】図４に示す防災テーブル１の、前方から見た斜視図である。
【図７】図４に示す防災テーブル１の、底板が非着床起立状態にある、右側方から見た斜視図である。
【図８】図４に示す防災テーブル１の、底板が非着床起立状態にある、前方から見た斜視図である。
【図９】他の実施形態における防災テーブル１の、底板が非着床起立状態にある、右側方から見た斜視図である。
【発明を実施するための形態】
【００１８】
図１は、本発明による好適な実施形態における防災テーブル１の平素の使用状態の斜視図を示す。この防災テーブル１は、脚枠構体２、および脚枠構体２の上方に設ける天板３を有する。脚枠構体２と天板３との間に物入れとしての棚板を設けることもできるが、省略して示す。本明細書中「前方」とは、椅子に座る人の前方を意味し、「後方」とは、椅子を配置する側を意味する
【００１９】
本発明によれば、脚枠構体２を、天板３に固定した左右１対の天板側脚部分４と、床Ｆに着床する着床ステー５に固定した左右１対の着床ステー側脚部分６とを、互いに抜き差し嵌合する構成とする。図示の好適な実施形態においては、着床ステー側脚部分６を、天板側脚部分４の内側に挿入して互いに抜き差し嵌合する構成とする。天板側脚部分４の内部には、互いに抜き差し嵌合する天板側脚部分４と着床ステー側脚部分６との間に、各脚部分を互いに引き離す方向に押圧する伸展力を発揮するばね手段（図示せず）を設ける。このばね手段としては、ガスばねを用いることもできるが、圧縮コイルばねを用いると安価に製造することができる。
【００２０】
脚枠構体２には、左右の着床ステー５を前方部分で相互に連結するクロスステー７を設ける。このクロスステー７に対して、底板８をヒンジ９により、床Ｆに向かって倒れ込む位置と、床Ｆに対して起立する位置との間で回動自在に連結する。底板８はクロスステー７ではなく、着床ステー５自体に回動自在に連結することもできる。
また、底板８は、左右の着床ステー５の上側端縁に係合可能な側方端縁部分８Ａをする。この底板８は、図１に点線で示すように、左右の着床ステー５の高さに相当する高さ、および左右着床ステー５間の内法幅より僅かに小さい内法幅を有するボックス状部１０を有する構成とし、このボックス状部の底面に、摩擦係数の高い滑り止め部材１１（例えば、粘着性パッド）を設けると好適である。図１以降の図面にはこのボックス状部１０は説明を分かり易くするため、省略して示す。
【００２１】
平素は、図１〜３に示すように、人の着席に支障がない非着床起立状態に底板を釈放可能に保持する底板着床抑止手段として、クロスステー７と底板８との間の隙間に挿入する楔部１２Ａを有する閂手段１２を設ける。この底板着床抑止手段としては、他の形式のものとすることができ、例えば、図９に示すように、天板側脚部分に取り付けた左右１対のサイドステー２Ａに設けることができ、例えば、スキー靴のバックルのような釈放可能な死点越え止め手段１８により構成することができる。さらに、本願人による先願発明である特願２０１０−０９６８５３号に記載のようなラッチ手段とすることもできる。さらに、地震の際の緊急時に、底板着床抑止手段を釈放したとき、底板８が床Ｆに向かって倒れ込む方向にバネ負荷するよう、ヒンジ９により回動自在に連結すると好適である。
【００２２】
互いに嵌合する脚部分４，６の抜けを阻止するとともに、ばね手段による伸展力によって伸展した伸展状態と、ばね手段による伸展力に抗して各脚部分相互が接近した収縮状態との間での制限移動を可能にする止め手段を設ける。この止め手段としては、図５に示すように前方の天板側脚部分４Ａに設けた長手方向に延在する細長溝孔１３と、前方の着床ステー側脚部分６Ａに連結し、長手方向溝孔１３に係合するピンまたはフック１４により構成することができる。
【００２３】
脚枠構体２に、平素、ばね手段による伸展力に抗して脚部分４，６相互を収縮した状態に保持する収縮状態係止手段と、地震発生時に、底板着床抑止手段の抑止を解除して着席に支障がない非着床起立状態から着床ステーの上側端縁に係合するよう回転する際に、前記側方端縁部分の一部が作用して前記収縮状態係止手段による係止を解除する収縮係止解除手段と、を設ける。
【００２４】
図示の実施例のように、着床ステー側脚部分６を、天板側脚部分４の内側に挿入して互いに抜き差し嵌合する実施形態の場合、収縮状態係止手段としては、着床ステー側の後方脚部分６Ｂから前方脚部分６Ａに向かって後退可能にばね負荷で突出する係止面１５Ａおよびカム斜面１５Ｂを有するラッチ部１５と、後方天板側脚部分４Ｂに設けてラッチ部１５が突入できる溝孔１６により構成する。
【００２５】
収縮係止解除手段は、ラッチ部１５に連結し、着床ステー側の後方脚部分６Ｂから前方脚部分６Ａに向かって、ラッチ部１５と一緒に後退可能にばね負荷で突出する作用突部１７により構成する。この作用突部１７に対して、底板８における両側の側方端縁部分８Ａのヒンジ連結側とは反対側の端部に設けた傾斜カム面８Ｂが係合することによって後退し、ラッチ部１５を後方天板側脚部分４Ｂに設けた溝孔１６から後退させ、これにより、図４〜７に示すように、図示しないばね手段の伸展力により天板側脚部分４を、着床ステー側脚部分６に対して引き離す方向に押圧して伸展状態にする。
【００２６】
伸展した状態から収縮状態に移行するには、ばね手段の伸展力に抗して天板を下方に押し下げる。この移行において、後方天板側脚部分４Ｂの下側端縁が、着床ステー側の後方脚部分６Ｂに設けたラッチ部１５の傾斜カム面１５Ｂに沿ってラッチ部１５をばね負荷に抗して後退させつつ下降し、後方天板側脚部分４Ｂに設けた溝孔１６が、傾斜カム面１５の下端に達するとラッチ部１５がばね負荷の下に突出し、溝孔１６に突入することにより、図１〜３に示す収縮状態に係止する。このとき、底板８を非着床の起立状態に回動させ、例えば、底板着床抑止手段としての閂手段１２における楔部１２Ａをクロスステー７と底板８との間の隙間に挿入することにより、底板８の不慮の倒れ込みを防止することができる。
【産業上の利用可能性】
【００２７】
本発明防災テーブルは、幼稚園、小学校、中学校等の教室机、または一般家庭もしくは事務所のテーブルとして利用することができ、地震の際に警報が発せられたとき、底板を着床ステーに向けて倒し込むとき、天板が上昇し、児童または生徒または一般人が拡張したテーブル下空間に退避して底板上に座り込むことにより、底板の側方端縁部分が着床ステーを押さえ込むことにより、また好適な実施形態として底板に設けたボックス状部に設けた滑り止め部材が床に密着し、テーブルを床にしっかりと固定し、テーブルが転倒および移動することなく、落下物または椅子等の飛散物から確実に体を防護できる。
【符号の説明】
【００２８】
１  防災テーブル
２  脚枠構体
２Ａ  サイドステー
３  天板
４  天板側脚部分
４Ａ  前方天板側脚部分
４Ｂ  後方天板側脚部分
５  着床ステー
６  着床ステー側脚部分
６Ａ  前方着床ステー側脚部分
６Ｂ  後方着床ステー側脚部分
７  クロスステー
７Ａ  垂直面
７Ｂ  傾斜カム面
８  底板
８Ａ  側方端縁部分
９  ヒンジ
１０  ボックス状部
１１  滑り止め部材
１２  閂手段
１２Ａ  楔部
１３  細長溝孔
１４  ピンまたはフック
１５  ラッチ部
１５Ａ  係止面
１５Ｂ  カム斜面
１６  溝孔
１７  作用突部
１８  止め手段
Ｆ  床
【図１】
0005712383.tif 000002
【図２】
0005712383.tif 000003
【図３】
0005712383.tif 000004
【図４】
0005712383.tif 000005
【図５】
0005712383.tif 000006
【図６】
0005712383.tif 000007
【図７】
0005712383.tif 000008
【図８】
0005712383.tif 000009
【図９】
0005712383.tif 000010